(57)【要約】      （修正有）【課題】回転可能な貯蔵及び栽培・飼育機能を兼ね備えた高、多段貯蔵及び栽培・飼育の回転型機械を提供する。【解決手段】回転可能な貯蔵及び栽培・飼育機能を兼ね備えた高、多段機械に関する。機械は多段に仕切られて配置されたパレット１と、多段のパレットの回転を連結して牽引するチェーン２とを備えており、チェーンはスプロケット３に対応して取り付けられ、スプロケットは可動的に回転シャフトを介してフレーム４に取り付けられる。パレットとチェーンとの間は相対的に回動するよう枢接される。チェーンで多段のパレットの回転を連結して牽引することで、高さの異なるパレットを適した位置に交替させて使用することができ、上段に登る必要はなく、搬出入が安全且つ便利で、作業時間が節約でき、高さ空間を十分に利用でき、使用コストを節約することができる。【選択図】図１
0003191021.tif 000002
【実用新案登録請求の範囲】
【請求項１】
多段に仕切られて配置されたパレットと、多段の前記パレットの回転を連結して牽引するチェーンとを備えており、前記チェーンはスプロケットに対応して取り付けられており、前記スプロケットは可動的に回転シャフトを介してフレームに取り付けられており、前記パレットと前記チェーンとの間は相対的に回動するよう枢接されている、ことを特徴とする高、多段貯蔵及び栽培・飼育の回転型機械。
【請求項２】
前記チェーンは一対で前記パレットの両端に配置されており、各々の前記チェーンは対応する側面の上下の二つの前記スプロケット上に巻設されて噛合しており、前記チェーンには内側に向けてロックピンが凸設されており、前記ロックピンは前記パレット端部のピン穴に挿入される、ことを特徴とする請求項１に記載の高、多段貯蔵及び栽培・飼育の回転型機械。
【請求項３】
前記パレットのピン穴内にはベアリングが嵌設されており、前記ベアリングには前記ロックピンが嵌入されており、前記ロックピンは前記チェーンのリンクピンの位置から凸出している、ことを特徴とする請求項２に記載の高、多段貯蔵及び栽培・飼育の回転型機械。
【請求項４】
前記フレームは壁板又は柱の形式が含まれる、ことを特徴とする請求項１に記載の高、多段貯蔵及び栽培・飼育の回転型機械。
【請求項５】
前記回転型機械が手動式又は電動式である、ことを特徴とする請求項１に記載の高、多段貯蔵及び栽培・飼育の回転型機械。
【考案の詳細な説明】
【技術分野】
【０００１】
本考案は貯蔵装置の技術分野に関し、特に回転可能な貯蔵及び栽培・飼育機能を兼ね備えた高、多段機械に関する。
【背景技術】
【０００２】
従来の貯蔵装置は、構造上の欠陥により、一定構造の形式でしかない貯蔵を提供できることから、使用において数々の不便があり、特に高い貯蔵位置となると、通常は上段に登るか、クレーンなどで搬入、搬出を行わなければならず、安全性の危惧もあり、作業効率も低かった。また、従来の貯蔵装置の適用領域は単一であって、一台で多用途の機能を発揮できず、資源が無駄になっていた。
【考案の概要】
【考案が解決しようとする課題】
【０００３】
考案者は研究刷新、改良を続いている精神で、専門的な観点及び知識を用いて、汎用性が高い、使用に便利で、産業上での利用に適した高、多段貯蔵及び栽培・飼育の回転型機械を考案した。
【０００４】
本考案の目的は、構造が簡単で、製造しやすく、搬出入がしやすく、工業、農業及び生活での使用に適した高、多段貯蔵及び栽培・飼育の回転型機械を提供するところにある。
【０００５】
上記目的を達成するために、本考案は以下の手段を採用する。
【０００６】
高、多段貯蔵及び栽培・飼育の回転型機械は、多段に仕切られて配置されたパレットと、多段のパレットの回転を連結して牽引するチェーンとを備えており、チェーンはスプロケットに対応して取り付けられており、スプロケットは可動的に回転シャフトを介してフレームに取り付けられており、パレットとチェーンとの間は相対的に回動するように枢接されている。
【０００７】
上記方法は更に、チェーンは一対でパレットの両端に配置されており、各々のチェーンは対応する側面の上下の二つのスプロケットの上に巻設されて噛合しており、チェーンには内側に向けてロックピンが凸設されており、ロックピンはパレット端部のピン穴に挿入される、というものである。
【０００８】
パレットのピン穴内にはベアリングが嵌設されており、ベアリングにはロックピンが嵌入されており、ロックピンはチェーンのリンクピンの位置から凸出している。
【課題を解決するための手段】
【０００９】
フレームは壁板又は柱の形式が含まれる。
【００１０】
回転型機械は手動式又は電動式である。
【考案の効果】
【００１１】
本考案で提供する機械では、チェーンで多段のパレットの回転を連結して牽引することで、高さの異なるパレットを適した位置に交替させて使用することができ、上段に登る必要はなく、搬出入が安全且つ便利で、作業時間が節約でき、高さ空間を十分に利用でき、使用コストを節約することができる。工場の製造ラインでの組立、商業施設での商品棚、展示会での展示棚、そして農業、漁業、牧畜業での栽培・飼育及び日用品の収容などに適用でき、機能範囲は広く、極めて刷新性の高い製品となり、社会の進歩に有利となる。もし倉庫に用いる場合には、はしご・階段又はクレーン昇降での搬出は必要なくなり、電動にて床面にまで回転させて、作業しやすくなる。もし温室、植物工場、漁業、牧畜業での栽培・飼育に用いる場合には、電動制御で最適な高さにまで回転させて、播種・栽培又は収穫がしやすくなる。時間節約、経費節約、便利、増産、多用途、メンテナンスしやすく、利用空間を十分に高めるなどの産業上での利用可能性を備えている。
【００１２】
本考案の更なる長所は、構造が簡単で、科学的に合理的であり、製作しやすく、投資コストが低く、産業上での汎用性に符合するというものである。
【図面の簡単な説明】
【００１３】
【図１】本考案における手動式の好ましい実施例の構造概略図である。
【図２】図１の実施例の側面構造概略図である。
【図３】本考案における電動式の好ましい実施例の構造概略図である。
【考案を実施するための形態】
【００１４】
以下にて図面を合わせて本考案をより詳細に説明する。
【００１５】
図１、図２、図３を参照されたい。本考案は高、多段貯蔵及び栽培・飼育の回転型機械に関し、前記機械は多段に仕切られて配置されたパレット１と、多段の前記パレット１の回転を連結して牽引するチェーン２とを備えており、前記チェーン２はスプロケット３に対応して取り付けられており、前記スプロケット３は可動的に回転シャフトを介してフレーム４に取り付けられており、前記パレット１と前記チェーン２との間は相対的に回動するよう枢接されている。前記チェーン２で多段の前記パレット１の回転を連結して牽引することで、高さの異なる前記パレット１を適した位置に交替させて使用することができる。上段に登る、或は、クレーン昇降にて搬出入を行う必要はなく、搬出入が安全且つ便利で、作業時間が節約でき、高さ空間を十分に利用でき、使用コストを節約することができる。
【００１６】
図１、図２に示す高、多段貯蔵及び栽培・飼育の回転型機械は手動式であり、ハンドルにて前記パレット１を回転させる。前記チェーン２は一対で前記パレット１の両端に配置されており、各々の前記チェーン２は対応する側面の上下の二つの前記スプロケット３上に巻設されて噛合しており、前記チェーン２には内側に向けてロックピン２１が凸設されており、前記ロックピン２１は前記パレット１端部のピン穴１１に挿入される。前記パレット１のピン穴１１内にはベアリング１２が嵌設されており、前記ベアリング１２には前記ロックピン２１が嵌入されており、前記ベアリング１２の回動自在性により前記パレット１と前記チェーン２との間の相対的な回動を補強することで、実際の動作時に自転し、摩擦干渉を減らし、寿命を延ばすことができる。前記ロックピン２１は前記チェーン２のリンクピンの位置から凸出しており、構造が簡単で、組み立てやすく、しかも前記チェーン２の正常な噛合作用を効果的に確保して、移動はスムースになる。前記パレット１と前記ロックピン２１とは挿入組み立てであって、異なる前記パレット１の間の間隔位置の調節もしやすく、実際の使用に合わせて空間を自由に利用することができ、使い勝手を高めることができる。
【００１７】
図１、図２、図３を参照されたい。本考案におけるフレーム４は壁板又は柱の形式が含まれ、具体的な形式は実際の設置及び空間に応じて決定してもよい。柱形式では、前記フレーム４は昇降可能な取りはずせるタイプとして設計することで、必要な高さに応じて設置することができる。前記パレット１はトレイ、ハンガ棚、棒状体などの形式に設計することで、異なる状況での使用に対応することができる。もしトレイであれば植物の培養、物品の載置に適用し、そしてハンガ棚及び棒状体の形式は物品を吊下げるのに適用することができるものであって、具体的な実施は実際のニーズに応じて決定する。
【００１８】
図３に示すように、本考案における高、多段貯蔵及び栽培・飼育の回転型機械は電動式となっている。このとき、モータ５を増設するが、前記モータ５は対応する前記スプロケット３を回転させるため、前記スプロケット３と前記チェーン２との噛合により多段の前記パレット１の回転を牽引して、高さの異なる前記パレット１を適した位置に交替させて使用するという効果を実現できる。これに基づいて、このときのパレット機械構造体は、自動位置決め調整を実現し、前記パレット１を自動タイミング、定点で適した位置にまで移動させ得るコンピュータ制御手段を設けてもよい。
【００１９】
本考案は構造が簡単で、科学的に合理的であり、製作しやすく、投資コストが低いことである。チェーンで多段のパレットを連結牽引して回転させて、高さの異なるパレットを適した位置に交替させて使用するという効果を実現でき、上段に登る必要なく、搬出入が安全、手軽で、時間が節約し、高さ空間を十分に利用し、使用コストを節約することができる。工場の製造ラインでの組立、小売店、デパート、スーパーマーケットの商品棚、展示会での展示棚、そして農業、漁業、牧畜業での栽培・飼育及び日用品の収容に適用できるものであって、例えばデパート、スーパーマーケットなどの場所での靴、衣料品、物品などの陳列など機能範囲は広く、産業上での汎用性に符合し、極めて刷新性の高い製品となり、社会の進歩に有利となる。もし倉庫に用いる場合には、はしご・階段又はクレーン昇降での搬出は必要なくなり、電動にて床面にまで回転させて、作業しやすくなる。もし温室、植物工場、漁業、牧畜業での栽培・飼育に用いる場合には、電動制御で最適な高さにまで回転させて、播種・栽培又は収穫がしやすくなる。時間節約、経費節約、便利、増産、多用途、メンテナンスしやすく、利用空間を十分に高めるなどの産業上での利用可能性を備えている。
【００２０】
当然のこと、実施形態を合わせて本考案につき詳細な説明を行ったが、本考案の技術的思想及び特長を説明したに過ぎず、その目的は当業者が本考案の内容を理解するとともに実施できるようにするものであって、これにより本考案の保護範囲を限定することはできないことから、本考案の技術的思想によりなされた等価変化又は付加はいずれも本考案の保護範囲に含まれるものである。
【符号の説明】
【００２１】
１      パレット
１１    ピン穴
１２    ベアリング
２      チェーン
２１    ロックピン
３      スプロケット
４      フレーム
５      モータ
【図１】
0003191021.tif 000003
【図２】
0003191021.tif 000004
【図３】
0003191021.tif 000005